(57)【要約】第１部分、第２部分及び第３部分を含むとともに、脆弱化された領域を有するロッキングテーパーアバットメントが開示される。第１部分は、歯科インプラントの開口部内に配置するために用いられる。第２部分は第１部分に結合し、構造上脆弱化された領域を有することによりロッキングテーパーアバットメントの起こり得る破損が当該領域で生じるようにすることが可能となる。第３部分は、第２部分に結合し、義歯との接合のために用いられる。このロッキングテーパーアバットメントが、上記構造上脆弱化された領域で破損すると、残された第２部分は上記開口部から突出する。従って、残された第２部分を器具を用いて直接取り除くことができ、従って、臨床操作が容易になることが明白である。さらに、歯科インプラントの開口部の壁面が傷つくことがなく、歯科インプラントの細菌封鎖が損なわれることもない。
2014512877.tif 000002
【特許請求の範囲】
【請求項１】
脆弱化された領域を有するロッキングテーパーアバットメントであって、
歯科インプラントの開口部内に配置するための第１部分であって、前記第１部分と前記歯科インプラントとはねじなしで結合される、第１部分と、
前記第１部分に結合される第２部分であって、前記テーパーロック・アバットメントの起こり得る破損が当該領域で生じるようにすることが可能な構造上脆弱化された領域を有し、前記歯科インプラントの前記開口部内には結合されない、第２部分と、
前記第２部分に結合された、義歯との接合のための第３部分と、を備えるロッキングテーパーアバットメント。
【請求項２】
前記構造上脆弱化された領域は、前記第２部分の外縁から内方に延在する少なくとも１つの凹状部を備える、請求項１に記載のロッキングテーパーアバットメント。
【請求項３】
前記構造上脆弱化された領域は、前記第２部分の外縁から内方に延在する少なくとも１つの凹状リングを備える、請求項１に記載のロッキングテーパーアバットメント。
【請求項４】
前記構造上脆弱化された領域は、前記第３部分に設けられた開口部を有する穴部を備え、前記穴部は、前記第３部分から前記第２部分に延在する、請求項１に記載のロッキングテーパーアバットメント。
【請求項５】
前記構造上脆弱化された領域は、凹状リングと穴部とを備え、前記凹状リングは前記第２部分の外縁から内方に延在し、前記穴部は、前記第３部分に設けられた開口部を有し、かつ、前記穴部は前記第３部分から前記第２部分に延在する、請求項１に記載のロッキングテーパーアバットメント。
【請求項６】
前記第２部分に設けられ、前記構造上脆弱化された領域と前記第１部分との間に配置された少なくとも１つのクランプ用溝をさらに備える、請求項１に記載のロッキングテーパーアバットメント。
【発明の詳細な説明】
【技術分野】
【０００１】
本発明は、ロッキングテーパーアバットメントに関し、より詳細には、脆弱化された領域を有するロッキングテーパーアバットメントに関する。
【背景技術】
【０００２】
図１を参照すると、同図は、従来のロッキングテーパーアバットメント及びインプラントの概略図を示す。図２を参照すると、同図は、従来のロッキングテーパーアバットメントとインプラントとを合体させた概略図を示す。ロッキングテーパー結合は、アバットメントとインプラントとを合体させるための結合方式である。従来のロッキングテーパーアバットメント１０は、第１部分１１、第２部分１２及び第３部分１３を含む。従来のインプラント２０は開口部２１を含む。
【０００３】
従来のロッキングテーパーアバットメント１０の第１部分１１はテーパー状の構造をしており、第１部分１１の角度（ｂ）は開口部２１の角度（ａ）よりわずかに大きい。この角度（ａ）と角度（ｂ）との間の適切に設定されたわずかな差によって、従来のロッキングテーパーアバットメント１０とインプラント２０とを有効に結合することができる。ロッキングテーパー結合は、ねじを用いない結合である。ロッキングテーパー結合の利点としては、簡易な構造であること、臨床操作が容易であること、細菌封鎖が良好であること、臨床使用の後に発生する悪臭がないこと、がある。
【０００４】
図３を参照すると、同図は、従来のロッキングテーパーアバットメントが破損した状態の概略図を示す。通常、細いインプラントに細い又は幅広ではないアバットメントを収容するため、臨床上、アバットメントの破損が起こり得る。破損はインプラント２０の開口部２１の上端の近くで起こることが多く、従って、破損してインプラント２０の開口部２１内に残った第１部分１１を器具で直接取り除くことができなくなる。残った第１部分１１は、ドリルで穴を開けられた上で取り除かなければならない。このような操作は臨床的に困難であるだけでなく、インプラント２０の内壁が傷つけられると細菌封鎖を損なうこともあり得る。
【０００５】
従って、上述の問題を解決するため、脆弱化された領域を有するロッキングテーパーアバットメントを提供する必要がある。
【発明の概要】
【０００６】
本発明は、脆弱化された領域を有し、第１部分、第２部分及び第３部分を含むロッキングテーパーアバットメントを提供する。第１部分は、歯科インプラントの開口部内に配置するために用いられる。第１部分と歯科インプラントとは、ねじなしで結合される。第２部分は、第１部分に結合されており、ロッキングテーパーアバットメントの起こり得る破損が当該領域で生じ得るようにするための構造上脆弱化された領域を有する。第２部分は歯科インプラントの開口部内には結合されない。第３部分は、第２部分に結合され、義歯との接合のために用いられる。
【０００７】
第２部分が歯科インプラントの開口部内に結合されず、かつ、構造上脆弱化された領域が上述の設計であるため、ロッキングテーパーアバットメントの起こり得る破損は、構造上脆弱化された領域で起こる。そのため、ロッキングテーパーアバットメントの破損後、残された第２部分は歯科インプラントの開口部から突出する。残された第２部分は、器具を用いて直接取り除かれることができる。従って、臨床操作が容易になることが明白である。さらに、歯科インプラントの開口部の壁面が傷つくことがなく、歯科インプラントの細菌封鎖が損なわれない。
【図面の簡単な説明】
【０００８】
【図１】従来のロッキングテーパーアバットメント及びインプラントの概略図を示す。
【図２】従来のロッキングテーパーアバットメント及びインプラントが合体した状態の概略図を示す。
【図３】破損した従来のロッキングテーパーアバットメント及びインプラントの概略図を示す。
【図４】本発明の第１実施形態に係る脆弱化された領域を有するロッキングテーパーアバットメント及び歯科インプラントの概略図を示す。
【図５】本発明の第１実施形態に係る、破損したロッキングテーパーアバットメント及び歯科インプラントの概略図を示す。
【図６】本発明の第２実施形態に係る脆弱化された領域を有するロッキングテーパーアバットメント及び歯科インプラントの概略図を示す。
【図７】本発明の第３実施形態に係る脆弱化された領域を有するロッキングテーパーアバットメント及び歯科インプラントの概略図を示す。
【図８】本発明の第４実施形態に係る脆弱化された領域を有するロッキングテーパーアバットメント及び歯科インプラントの概略図を示す。
【発明を実施するための形態】
【０００９】
本発明を説明する前に、いくつかの用語についてその定義を明らかにする必要がある。用語「下」は、重力とは関係なく、骨のより深くを意味し、用語「上」は歯肉又は義歯の近傍を意味する。
【００１０】
図４を参照すると、同図は、本発明の第１実施形態に係る脆弱化された領域を有するロッキングテーパーアバットメント及び歯科インプラントの概略図を示す。本発明の脆弱化された領域を有するロッキングテーパーアバットメント３０は、第１部分３１、第２部分３２及び第３部分３３を含む。第１部分３１は、歯科インプラント２０の開口部２１内に配置するために用いられる。第１部分３１と歯科インプラント２０とは、ねじなしで結合される。本実施形態において、第１部分３１は、歯科インプラント２０の開口部２１内に完全に設置される。第１部分３１はテーパー状の構造を有し、第１部分３１の角度（ｂ）は、歯科インプラント２０の開口部２１の角度（ａ）よりわずかに大きい。第１部分３１は、特定のサイズの歯科インプラント２０の開口部２１に結合されるため、第１部分３１の直径及び長さは、商業上では特定のものとなる。
【００１１】
第２部分３２は、第１部分３１に結合されており、構造上脆弱化された領域３２１を有し、それにより、ロッキングテーパーアバットメント３０の起こり得る破損がこの構造上脆弱化された領域３２１において生じるようにすることを可能にする。第２部分３２は、歯科インプラント２０の開口部内に結合されない。本実施形態において、構造上脆弱化された領域３２１は、第２部分３２の外縁から内方に延在する少なくとも１つの凹状部を含む。構造上脆弱化された領域３２１の構造強度は、第１部分３１のそれより小さく、構造上脆弱化させる度合いは、ロッキングテーパーアバットメント３０の起こり得る破損が、第１部分３１ではなく、構造上脆弱化された領域３２１において生じるようにするものでなければならない。第２部分３２が歯科インプラント２０の開口部内に結合されていないため、ロッキングテーパーアバットメント３０及び歯科インプラント２０を臨床的に利用する際、歯科インプラント２０の細菌封鎖が影響を受けることはない。さらに、ロッキングテーパーアバットメント３０が、構造上脆弱化された領域３２１で破損した後でも、歯科インプラント２０の細菌封鎖が影響を受けることはない。
【００１２】
本実施形態において、第２部分はさらに、基部領域３２３、中間領域３２４及び上部領域３２５を含む。基部領域３２３は第１部分３１に結合されている。中間領域３２４は基部領域３２３に結合され、この中間領域３２４上に構造上脆弱化された領域３２１が設けられる。上部領域３２５は中間領域３２４に結合され、上部領域３２５の外径は、第３部分３３に結合するように徐々に大きくなっている。
【００１３】
第３部分３３は、第２部分３２の上部領域３２５に結合され、（図示されていない）義歯との接合のために用いられる。
【００１４】
本実施形態において、本発明のロッキングテーパーアバットメント３０は、第２部分３２に設けられた少なくとも１つのクランプ用溝３２２をさらに含み、この溝３２２は、構造上脆弱化された領域３２１と第１部分３１との間に配置され、器具でこのクランプ用溝３２２をクランプするのを容易にしている。クランプ用溝３２２の構造強度は、構造上脆弱化された領域３２１の構造強度より大きくなければならない。
【００１５】
図５を参照すると、同図は、本発明の上記第１実施形態に係る、破損した状態のロッキングテーパーアバットメント及び歯科インプラントの概略図を示す。ロッキングテーパーアバットメント３０が構造上脆弱化された領域３２１で破損すると、第２部分３２は歯科インプラント２０の開口部内に結合されていないため、残された第２部分３２は歯科インプラント２０の開口部２１から突出する。従って、残された第２部分３２は（図示されていない）器具により直接取り除かれることができ、これにより臨床操作が容易になることは明白である。さらに、歯科インプラント２０の開口部の壁面が傷つくことがなく、歯科インプラント２０の細菌封鎖が損なわれることもない。また、クランプ用溝３２２により、器具でクランプして残された第２部分３２及び第１部分３１を取り除くことが容易になる。
【００１６】
図６を参照すると、同図は、本発明の第２実施形態に係る脆弱化された領域を有するロッキングテーパーアバットメント及び歯科インプラントの概略図を示す。本発明の脆弱化された領域を有するロッキングテーパーアバットメント４０は、第１部分４１、第２部分４２及び第３部分４３を含む。本実施形態において、構造上脆弱化された領域４２１は、第２部分４２の外縁から内方に延在する凹状リングを含む。この凹状リングは、第２部分４２の外縁全体から（すなわち、３６０度）等しく切り込まれている。さらに、第２実施形態によれば、本発明のロッキングテーパーアバットメント４０は、少なくとも一つのクランプ用溝４２２を含む。
【００１７】
図７を参照すると、同図は、本発明の第３実施形態に係る脆弱化された領域を有するロッキングテーパーアバットメント及び歯科インプラントの概略図を示す。本発明の脆弱化された領域を有するロッキングテーパーアバットメント５０は、第１部分５１、第２部分５２及び第３部分５３を含む。本実施形態において、構造上脆弱化された領域５２１は、第３部分に設けられた開口部５３１を有する穴部５４を含み、この穴部５４は第３部分５３から第２部分５２の中間領域５２４へと延在する。さらに、第３実施形態によれば、本発明のロッキングテーパーアバットメント５０は、少なくとも一つのクランプ用溝５２２を含む。
【００１８】
図８を参照すると、同図は、本発明の第４実施形態に係る脆弱化された領域を有するロッキングテーパーアバットメント及び歯科インプラントの概略図を示す。本発明の脆弱化された領域を有するロッキングテーパーアバットメント６０は、第１部分６１、第２部分６２及び第３部分６３を含む。本実施形態において、構造上脆弱化された領域６２１は凹状リング６２６と穴部６４とを含む。凹状リング６２６は、第２部分６２の外縁から内方に延在する。この凹状リング６２６は、第２部分６２の外縁全体から（すなわち、３６０度）等しく切り込まれている。穴部６４は、第３部分６３に設けられた開口部６３１を有し、第３部分６３から第２部分の中間領域６２４へと延在する。さらに、第４実施形態によれば、本発明のロッキングテーパーアバットメント６０は、少なくとも一つのクランプ用溝６２２を含む。
【００１９】
第２実施形態に係るロッキングテーパーアバットメント４０の構造上脆弱化された領域４２１、第３実施形態に係るロッキングテーパーアバットメント５０の構造上脆弱化された領域５２１、及び、第４実施形態に係るロッキングテーパーアバットメント６０の構造上脆弱化された領域６２１を用いることにより、ロッキングテーパーアバットメント４０、５０又は６０の起こり得る破損が構造上脆弱化された領域４２１、５２１又は６２１において生じることとなり、第１実施形態と同様の効果を得ることができる。
【００２０】
本発明のいくつかの実施形態を図示し、説明してきたが、当業者であれば様々な変更及び改良が可能である。従って、本発明の上述の実施形態は、例示を意図して記載されたものであって、限定を意図するものではない。本発明は例示された特定の形態に限定されるべきではなく、本発明の要旨及び範囲が維持されるあらゆる変更は、添付の特許請求の範囲に規定される範囲に含まれることが意図される。
【図１】
2014512877.tif 000003
【図２】
2014512877.tif 000004
【図３】
2014512877.tif 000005
【図４】
2014512877.tif 000006
【図５】
2014512877.tif 000007
【図６】
2014512877.tif 000008
【図７】
2014512877.tif 000009
【図８】
2014512877.tif 000010
【国際調査報告】
2014512877.tif 000011
2014512877.tif 000012
2014512877.tif 000013
2014512877.tif 000014